(57)【特許請求の範囲】
【請求項１】
ユーザ機器ＵＥが、第１タイプのネットワークにより配置された、前記ＵＥが第２タイプのネットワークにおいて前記第１タイプのネットワークの測定を行うことに用いられる測定情報を受信することと、ここで、前記測定情報は前記第２タイプのネットワークで前記第１タイプのネットワークの搬送周波数及び／又はセル情報の測定を行うことを前記ＵＥに指示するための情報を含み、
前記ＵＥが前記第２タイプのネットワークへ切り替えられた又は再選択された後、前記ＵＥが前記測定情報に基づいて、前記第１タイプのネットワークの測定を行うことを含み、
前記第２タイプのネットワークで前記第１タイプのネットワークの搬送周波数及び／又はセル情報の測定を行うことを前記ＵＥに指示するための情報は、前記第２タイプのネットワークで前記第１タイプのネットワークにより配置された全ての搬送周波数及び／又はセルの測定を行うことを指示するための情報と、前記第１タイプのネットワークでの異なる搬送周波数及び／又はセルそれぞれに対し、前記第２タイプのネットワークでの測定を指示するための情報と、異なる前記第２タイプのネットワークそれぞれに対し、前記第１タイプのネットワークの搬送周波数及び／又はセル情報の測定を指示するための情報の中の少なくとも一つを含むネットワークシステム間の測定処理方法。
【請求項２】
前記ＵＥが前記測定情報に基づいて、前記第１タイプのネットワークの測定を行うことは、
前記ＵＥが前記第２タイプのネットワークからの前記第１タイプのネットワークの測定を行う測定情報を受信することと、
前記ＵＥが前記第１タイプのネットワークで受信した前記測定情報を用いる前記第１タイプのネットワークの測定を中止することと、
前記ＵＥが前記第２タイプのネットワークからの測定情報を用いて前記第１タイプのネットワークの測定を行うこととを含む請求項１に記載の方法。
【請求項３】
前記ＵＥが前記測定情報に基づいて前記第１タイプのネットワークの測定を行った後、
前記ＵＥが前記第１タイプのネットワークの測定を行った測定結果を取得することをさらに含み、
前記測定結果は、前記ＵＥが前記第２タイプのネットワークでセル再選択を行うことに用いられる、或いは、
前記ＵＥが前記測定情報に基づいて前記第１タイプのネットワークの測定を行った後、
前記第１タイプのネットワークの測定を行って取得した測定結果が前記第１タイプのネットワークへ再選択して復帰する要求を満たすか否かを判定することと、
満たすと判定された場合、前記ＵＥが前記測定結果に基づいて前記第１タイプのネットワークへ再選択して復帰することを更に含む、或いは、
前記ＵＥが前記第１タイプのネットワークにより配置された前記測定情報を受信した後、
前記ＵＥが受信した前記測定情報を記憶することを、更に含み、
前記測定情報は、前記ＵＥが前記第２タイプのネットワークへ切り替えられた又は再選択された後も依然として有効である請求項１に記載の方法。
【請求項４】
前記ＵＥが、無線リソース制御ＲＲＣメッセージによって、前記第１タイプのネットワークにより配置された前記測定情報を受信し、
前記ＲＲＣメッセージは、システムメッセージ、ＲＲＣリリースメッセージ、ＲＲＣ再配置メッセージ、補強型ユニバーサル移動体通信システムＥ−ＵＭＴＳからの移動命令メッセージの中の少なくとも一つを含む、或いは、
前記ＵＥは、
前記第１タイプのネットワークからのインディケーションを受信する方式と、
予め約束した方式の中の少なくとも一つの方式で、前記測定情報の有効期限を取得する請求項１に記載の方法。
【請求項５】
前記測定情報は、
前記第２タイプのネットワークで測定すべき前記第１タイプのネットワークの搬送周波数及び／又はセル情報を前記ＵＥに指示するための情報と、
前記第２タイプのネットワークでリリースした後に前記第１タイプのネットワークに復帰することを前記ＵＥに指示するための情報と、
前記第２タイプのネットワークで前記第１タイプのネットワークの測定を行う周波数ポイントリストを前記ＵＥに指示するための情報と、
前記測定情報の有効期限の記憶を前記ＵＥに指示するための情報の中の少なくとも一つを含む請求項１に記載の方法。
【請求項６】
前記第２タイプのネットワークでリリースした後に前記第１タイプのネットワークに復帰することを前記ＵＥに指示するための情報は、異なる前記第２タイプのネットワークそれぞれに対し、前記第１タイプのネットワークへ再選択して復帰することを前記ＵＥに指示するための情報を含み、
前記第２タイプのネットワークにおいて前記第１タイプのネットワークの測定を行う周波数ポイントリストを前記ＵＥに指示するための情報は、全ての前記第２タイプのネットワークでの前記第１タイプのネットワーク中の周波数ポイントの測定を指示するための周波数ポイントリスト情報と、異なる前記第２タイプのネットワークでの前記第１タイプのネットワーク中の周波数ポイントの測定を指示するための異なる周波数ポイントリスト情報の中の少なくとも一つを含み、
前記測定情報の有効期限の記憶を前記ＵＥに指示するための情報は、前記有効期限が所定の時間長さであることを指示するための情報と、前記有効期限がセル再選択の回数であることを指示するための情報と、前記有効期限に達すると、前記測定情報をクリアすることを指示するための情報と、前記有効期限に達していない時に前記第１タイプのネットワークの測定情報を再び受信した場合、前記有効期限をリセットすることを指示するための情報の中の少なくとも一つを含む請求項５に記載の方法。
【請求項７】
前記セル再選択の回数は、前記第１タイプのネットワークにおけるセル再選択の回数と、前記第２タイプのネットワークにおけるセル再選択の回数と、前記第１タイプのネットワークと前記第２タイプのネットワークにおけるセル再選択の回数と、前記第１タイプのネットワークと前記第２タイプのネットワークとの間のセル再選択の回数の中の少なくとも一つを含む、或いは、
複数の異なる前記第２タイプのネットワークについての指示は、
前記第２タイプのネットワークが切り替え及び／又はセル更新のターゲットネットワークシステムであることと、前記第２タイプのネットワークが前記第１タイプのネットワークでない全てのネットワークシステムであることと、前記第２タイプのネットワークが常にＧＳＭ／ＥＤＧＥ無線アクセスネットワークＧＥＲＡＮであることの中の少なくとも一つを含む黙示的な指示方式による前記第２タイプのネットワークについての指示と、
明示的なシグナリングによって、前記第２タイプのネットワークに対応するネットワークシステムを指示することを含む明示的な指示方式による前記第２タイプのネットワークについての指示の中の少なくとも一つを含む請求項６に記載の方法。
【請求項８】
前記搬送周波数及び／又はセルの情報は、
前記搬送周波数の周波数ポイントと、前記セルのセル識別子ＩＤと、前記周波数ポイント及び／又は前記セルが受信可能な参照信号受信パワーＲＳＲＰ閾値と、前記周波数ポイント及び／又は前記セルの優先レベルと、前記周波数ポイント及び／又は前記セルの異なる優先レベルでの再選択閾値の中の少なくとも一つを含む請求項５に記載の方法。
【請求項９】
第１タイプのネットワークがユーザ機器ＵＥに対し、前記ＵＥが第２タイプのネットワークで前記第１タイプのネットワークの測定を行うことに用いられる測定情報を配置することと、ここで、前記測定情報は前記第２タイプのネットワークで前記第１タイプのネットワークの搬送周波数及び／又はセル情報の測定を行うことを前記ＵＥに指示するための情報を含み、
前記第１タイプのネットワークが配置した前記測定情報を前記ＵＥに送信することとを含み、
前記第２タイプのネットワークで前記第１タイプのネットワークの搬送周波数及び／又はセル情報の測定を行うことを前記ＵＥに指示するための情報は、前記第２タイプのネットワークで前記第１タイプのネットワークにより配置された全ての搬送周波数及び／又はセルの測定を行うことを指示するための情報と、前記第１タイプのネットワークでの異なる搬送周波数及び／又はセルそれぞれに対し、前記第２タイプのネットワークでの測定を指示するための情報と、異なる前記第２タイプのネットワークそれぞれに対し、前記第１タイプのネットワークの搬送周波数及び／又はセル情報の測定を指示するための情報の中の少なくとも一つを含むネットワークシステム間の測定処理方法。
【請求項１０】
前記第１タイプのネットワークは、配置した前記測定情報を、システムメッセージと、ＲＲＣリリースメッセージと、ＲＲＣ再配置メッセージと、補強型ユニバーサル移動体通信システムＥ−ＵＭＴＳからの移動命令メッセージの中の少なくとも一つを含む無線リソース制御ＲＲＣメッセージによって前記ＵＥに送信する請求項９に記載の方法。
【請求項１１】
前記測定情報は、
前記第２タイプのネットワークで測定すべき前記第１タイプのネットワークの搬送周波数及び／又はセル情報を前記ＵＥに指示するための情報と、
前記第２タイプのネットワークでリリースした後に前記第１タイプのネットワークに復帰することを前記ＵＥに指示するための情報と、
前記第２タイプのネットワークで前記第１タイプのネットワークの測定を行う周波数ポイントリストを前記ＵＥに指示するための情報と、
前記測定情報の有効期限の記憶を前記ＵＥに指示するための情報の中の少なくとも一つを含む請求項１０に記載の方法。
【請求項１２】
ユーザ機器に配置されるネットワークシステム間の測定処理装置であって、
第１タイプのネットワークにより配置された、前記ＵＥが第２タイプのネットワークにおいて前記第１タイプのネットワークの測定を行うことに用いられる測定情報を受信するように構成されている受信モジュールと、ここで、前記測定情報は前記第２タイプのネットワークで前記第１タイプのネットワークの搬送周波数及び／又はセル情報の測定を行うことを前記ＵＥに指示するための情報を含み、
前記ＵＥが前記第２タイプのネットワークへ切り替えられた又は再選択された後、前記測定情報に基づいて前記第１タイプのネットワークの測定を行うように構成されている測定モジュールとを備え、
前記第２タイプのネットワークで前記第１タイプのネットワークの搬送周波数及び／又はセル情報の測定を行うことを前記ＵＥに指示するための情報は、前記第２タイプのネットワークで前記第１タイプのネットワークにより配置された全ての搬送周波数及び／又はセルの測定を行うことを指示するための情報と、前記第１タイプのネットワークでの異なる搬送周波数及び／又はセルそれぞれに対し、前記第２タイプのネットワークでの測定を指示するための情報と、異なる前記第２タイプのネットワークそれぞれに対し、前記第１タイプのネットワークの搬送周波数及び／又はセル情報の測定を指示するための情報の中の少なくとも一つを含むるネットワークシステム間の測定処理装置。
【請求項１３】
前記測定モジュールは、
前記第２タイプのネットワークからの、前記第１タイプのネットワークの測定を行う測定情報を受信するように構成されている受信ユニットと、
前記第１タイプのネットワークで受信した前記測定情報を用いる前記第１タイプのネットワークの測定を中止するように構成されている中止ユニットと、
前記第２タイプのネットワークからの測定情報を用いて前記第１タイプのネットワークの測定を行うように構成されている測定ユニットとを含む請求項１２に記載の装置。
【請求項１４】
前記第１タイプのネットワークの測定を行った測定結果を取得するように構成されている取得モジュールを更に備え、前記測定結果は、前記ＵＥが前記第２タイプのネットワークでセル再選択を行うことに用いられる、或いは、
前記第１タイプのネットワークの測定を行って取得した測定結果が前記第１タイプのネットワークへ再選択して復帰する要求を満たすか否かを判定するように構成されている判定モジュールと、
前記判定モジュールにより、満たすと判定された場合、前記測定結果に基づいて、前記第１タイプのネットワークを再選択するように構成されている再選択モジュールとを更に備える、或いは、
受信した前記測定情報を記憶するように構成されている記憶モジュールを更に備え、前記測定情報は、前記ＵＥが前記第２タイプのネットワークへ切り替えられた又は再選択された後も依然として有効である請求項１２に記載の装置。
【請求項１５】
第１タイプのネットワークに配置されるネットワークシステム間の測定処理装置であって、
ユーザ機器ＵＥに対し、前記ＵＥが第２タイプのネットワークにおいて前記第１タイプのネットワークの測定を行うことに用いられる測定情報を配置するように構成されている配置モジュールと、ここで、前記測定情報は前記第２タイプのネットワークで前記第１タイプのネットワークの搬送周波数及び／又はセル情報の測定を行うことを前記ＵＥに指示するための情報を含み、
配置された前記測定情報を前記ＵＥに送信するように構成されている送信モジュールとを備え、
前記第２タイプのネットワークで前記第１タイプのネットワークの搬送周波数及び／又はセル情報の測定を行うことを前記ＵＥに指示するための情報は、前記第２タイプのネットワークで前記第１タイプのネットワークにより配置された全ての搬送周波数及び／又はセルの測定を行うことを指示するための情報と、前記第１タイプのネットワークでの異なる搬送周波数及び／又はセルそれぞれに対し、前記第２タイプのネットワークでの測定を指示するための情報と、異なる前記第２タイプのネットワークそれぞれに対し、前記第１タイプのネットワークの搬送周波数及び／又はセル情報の測定を指示するための情報の中の少なくとも一つを含むるネットワークシステム間の測定処理装置。
【発明の詳細な説明】
【技術分野】
【０００１】
本発明は、通信分野に関し、具体的に、ネットワークシステム間の測定処理方法及び装置に関する。
【背景技術】
【０００２】
現在、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標）と略称）ネットワークと長期進化型（Ｌｏｎｇ  Ｔｅｒｍ  Ｅｖｏｌｕｔｉｏｎ、ＬＴＥ（登録商標）と略称）ネットワークとを混ぜ合わせて構築した場合、通信事業者は通常、ユーザ機器によるＬＴＥネットワークでの駐在を優先的に保証してユーザが高速のサービスを得られるようにし、ＵＥがＬＴＥネットワークで音声呼を発した場合、できる限りＵＥをＧＳＭネットワークに切り替え、ＧＳＭネットワークによって音声サービスを乗せる。一方、音声呼が完了した後、ＵＥが高速にＬＴＥネットワークに復帰することが望まれている。しかし、ＧＳＭからＬＴＥネットワークへの再選択は長い時間が必要で、これは、ＧＳＭにおいてＬＴＥネットワークの隣接セル情報内容を放送する繰り返し周期が相当に長いからで、ネットワークでの実際の測定において、平均十数秒かかり、またＧＳＭとＬＴＥネットワークの同一カバー領域位置での計画も通常異なっているので、ネットワーク間で再選択を行う際に位置領域を更新しなければならず、ＵＥの位置領域更新中、ネットワーク側と他の端末が位置領域更新中であるＵＥを呼び出しすることができない。
【０００３】
したがって、ＵＥは、ＧＳＭとＬＴＥが混合して構築されたカバー領域において、ＧＳＭからＬＴＥへの再選択中に、ネットワークページングに応答することができない時間が長いので、ユーザーエクスペリエンスが悪くなる。上記問題はＧＳＭとＬＴＥネットワークだけではなく、他のネットワークにも存在している。したがって、関連技術には、一つのネットワークにおいて他のネットワークの測定を行うことができない問題が存在し、また、一つのネットワークから他のネットワークに切り替えられた後、ＵＥが元のネットワークに再び復帰する場合、長い時間がかかり、正常なユーザサービスを実現することができなく、ユーザの体験を低減させる問題も存在している。
【発明の概要】
【発明が解決しようとする課題】
【０００４】
本発明は、少なくとも関連技術にあった、一つのネットワークにおいて他のネットワークの測定を行うことができなく、また、一つのネットワークから他のネットワークに切り替えられた後、ＵＥが元のネットワークに再び復帰する場合、長い時間がかかり、正常なユーザサービスを実現できなく、ユーザの体験を低減させる問題を解決できるネットワークシステム間の測定処理方法及び装置を提供することをその目的とする。
【課題を解決するための手段】
【０００５】
本発明の一態様によると、ユーザ機器ＵＥが、第１タイプのネットワークにより配置された、前記ＵＥが第２タイプのネットワークにおいて前記第１タイプのネットワークの測定を行うことに用いられる測定情報を受信することと、前記ＵＥが前記第２タイプのネットワークへ切り替えられた又は再選択された後、前記ＵＥが前記測定情報に基づいて、前記第１タイプのネットワークの測定を行うことを含むを含むネットワークシステム間の測定処理方法を提供する。
【０００６】
前記ＵＥが前記測定情報に基づいて、前記第１タイプのネットワークの測定を行うことは、前記ＵＥが前記第２タイプのネットワークからの前記第１タイプのネットワークの測定を行う測定情報を受信することと、前記ＵＥが前記第１タイプのネットワークで受信した前記測定情報を用いる前記第１タイプのネットワークの測定を中止することと、前記ＵＥが前記第２タイプのネットワークからの測定情報を用いて前記第１タイプのネットワークの測定を行うこととを含むことが好ましい。
【０００７】
前記ＵＥが前記測定情報に基づいて前記第１タイプのネットワークの測定を行った後、前記ＵＥが前記第１タイプのネットワークの測定を行った測定結果を取得することをさらに含むことが好ましく、ここで、前記測定結果は、前記ＵＥが前記第２タイプのネットワークでセル再選択を行うことに用いられる。
【０００８】
前記ＵＥが前記測定情報に基づいて前記第１タイプのネットワークの測定を行った後、前記第１タイプのネットワークの測定を行って取得した測定結果が前記第１タイプのネットワークへ再選択して復帰する要求を満たすか否かを判定することと、満たすと判定された場合、前記ＵＥが前記測定結果に基づいて前記第１タイプのネットワークへ再選択して復帰することを更に含むことが好ましい。
【０００９】
前記ＵＥが前記第１タイプのネットワークにより配置された前記測定情報を受信した後、前記ＵＥが受信した前記測定情報を記憶することを更に含むことが好ましく、ここで、前記測定情報は、前記ＵＥが前記第２タイプのネットワークへ切り替えられた又は再選択された後も依然として有効である。
【００１０】
前記ＵＥが、無線リソース制御ＲＲＣメッセージによって、前記第１タイプのネットワークにより配置された前記測定情報を受信し、前記ＲＲＣメッセージは、システムメッセージ、ＲＲＣリリースメッセージ、ＲＲＣ再配置メッセージ、補強型ユニバーサル移動体通信システムＥ−ＵＭＴＳからの移動命令メッセージの中の少なくとも一つを含むことが好ましい。
【００１１】
前記測定情報は、前記第２タイプのネットワークで測定すべき前記第１タイプのネットワークの搬送周波数及び／又はセル情報を前記ＵＥに指示するための情報と、前記第２タイプのネットワークで前記第１タイプのネットワークの搬送周波数及び／又はセル情報の測定を行うことを前記ＵＥに指示するための情報と、前記第２タイプのネットワークでリリースした後に前記第１タイプのネットワークに復帰することを前記ＵＥに指示するための情報と、前記第２タイプのネットワークで前記第１タイプのネットワークの測定を行う周波数ポイントリストを前記ＵＥに指示するための情報と、前記測定情報の有効期限の記憶を前記ＵＥに指示するための情報の中の少なくとも一つを含むことが好ましい。
【００１２】
前記第２タイプのネットワークで前記第１タイプのネットワークの搬送周波数及び／又はセル情報の測定を行うことを前記ＵＥに指示するための情報は、前記第２タイプのネットワークで前記第１タイプのネットワークにより配置された全ての搬送周波数及び／又はセルの測定を行うことを指示するための情報と、前記第１タイプのネットワークでの異なる搬送周波数及び／又はセルそれぞれに対し、前記第２タイプのネットワークでの測定を指示するための情報と、異なる前記第２タイプのネットワークそれぞれに対し、前記第１タイプのネットワークの搬送周波数及び／又はセル情報の測定を指示するための情報の中の少なくとも一つを含み、前記第２タイプのネットワークでリリースした後に前記第１タイプのネットワークに復帰することを前記ＵＥに指示するための情報は、異なる前記第２タイプのネットワークそれぞれに対し、前記第１タイプのネットワークへ再選択して復帰することを前記ＵＥに指示するための情報を含み、前記第２タイプのネットワークで前記第１タイプのネットワークの測定を行う周波数ポイントリストを前記ＵＥに指示するための情報は、全ての前記第２タイプのネットワークでの前記第１タイプのネットワーク中の周波数ポイントの測定を指示するための周波数ポイントリスト情報と、異なる前記第２タイプのネットワークでの前記第１タイプのネットワーク中の周波数ポイントの測定を指示するための異なる周波数ポイントリスト情報の中の少なくとも一つを含み、前記測定情報の有効期限の記憶を前記ＵＥに指示するための情報は、前記有効期限が所定の時間長さであることを指示するための情報と、前記有効期限がセル再選択の回数であることを指示するための情報と、前記有効期限に達すると、前記測定情報をクリアすることを指示するための情報と、前記有効期限に達していない時に前記第１タイプのネットワークの測定情報を再び受信した場合、前記有効期限をリセットすることを指示するための情報の中の少なくとも一つを含むことが好ましい。
【００１３】
前記セル再選択の回数は、前記第１タイプのネットワークにおけるセル再選択の回数と、前記第２タイプのネットワークにおけるセル再選択の回数と、前記第１タイプのネットワークと前記第２タイプのネットワークにおけるセル再選択の回数と、前記第１タイプのネットワークと前記第２タイプのネットワークとの間のセル再選択の回数の中の少なくとも一つを含むことが好ましい。
【００１４】
複数の異なる前記第２タイプのネットワークについての指示は、前記第２タイプのネットワークが切り替え及び／又はセル更新のターゲットネットワークシステムであることと、前記第２タイプのネットワークが前記第１タイプのネットワークでない全てのネットワークシステムであることと、前記第２タイプのネットワークが常にＧＳＭ／ＥＤＧＥ無線アクセスネットワークＧＥＲＡＮであることの中の少なくとも一つを含む黙示的な指示方式による前記第２タイプのネットワークについての指示と、明示的なシグナリングによって、前記第２タイプのネットワークに対応するネットワークシステムを指示することを含む明示的な指示方式による前記第２タイプのネットワークについての指示の中の少なくとも一つを含むことが好ましい。
【００１５】
前記搬送周波数及び／又はセルの情報は、前記搬送周波数の周波数ポイントと、前記セルのセル識別子ＩＤと、前記周波数ポイント及び／又は前記セルが受信可能な参照信号受信パワーＲＳＲＰ閾値と、前記周波数ポイント及び／又は前記セルの優先レベルと、前記周波数ポイント及び／又は前記セルの異なる優先レベルでの再選択閾値の中の少なくとも一つを含むことが好ましい。
【００１６】
前記ＵＥは、前記第１タイプのネットワークからのインディケーションを受信する方式と、予め約束した方式の中の少なくとも一つの方式で、前記測定情報の有効期限を取得することが好ましい。
【００１７】
前記第１タイプのネットワークと前記第２タイプのネットワークは、長期進化型ＬＴＥネットワークと、ＧＳＭ／ＥＤＧＥ無線アクセスネットワークＧＥＲＡＮと、ユニバーサル移動体通信システムＵＭＴＳと、符号分割多元接続ＣＤＭＡシステムの中の少なくとも一つであることが好ましい。
【００１８】
本発明の他の一態様によると、第１タイプのネットワークがユーザ機器ＵＥに対し、前記ＵＥが第２タイプのネットワークで前記第１タイプのネットワークの測定を行うことに用いられる測定情報を配置することと、前記第１タイプのネットワークが配置した前記測定情報を前記ＵＥに送信することとを含むネットワークシステム間の測定処理方法を提供する。
【００１９】
前記第１タイプのネットワークは、配置した前記測定情報を、システムメッセージと、ＲＲＣリリースメッセージと、ＲＲＣ再配置メッセージと、補強型ユニバーサル移動体通信システムＥ−ＵＭＴＳからの移動命令メッセージの中の少なくとも一つを含む無線リソース制御ＲＲＣメッセージによって前記ＵＥに送信することが好ましい。
【００２０】
前記測定情報は、前記第２タイプのネットワークで測定すべき前記第１タイプのネットワークの搬送周波数及び／又はセル情報を前記ＵＥに指示するための情報と、前記第２タイプのネットワークで前記第１タイプのネットワークの搬送周波数及び／又はセル情報の測定を行うことを前記ＵＥに指示するための情報と、前記第２タイプのネットワークでリリースした後に前記第１タイプのネットワークに復帰することを前記ＵＥに指示するための情報と、前記第２タイプのネットワークで前記第１タイプのネットワークの測定を行う周波数ポイントリストを前記ＵＥに指示するための情報と、前記測定情報の有効期限の記憶を前記ＵＥに指示するための情報の中の少なくとも一つを含むことが好ましい。
【００２１】
本発明の他の一態様によると、ユーザ機器に配置されるネットワークシステム間の測定処理装置であって、第１タイプのネットワークにより配置された、前記ＵＥが第２タイプのネットワークにおいて前記第１タイプのネットワークの測定を行うことに用いられる測定情報を受信するように構成されている受信モジュールと、前記ＵＥが前記第２タイプのネットワークへ切り替えられた又は再選択された後、前記測定情報に基づいて前記第１タイプのネットワークの測定を行うように構成されている測定モジュールとを備えるネットワークシステム間の測定処理装置を提供する。
【００２２】
前記測定モジュールは、前記第２タイプのネットワークからの、前記第１タイプのネットワークの測定を行う測定情報を受信するように構成されている受信ユニットと、前記第１タイプのネットワークで受信した前記測定情報を用いる前記第１タイプのネットワークの測定を中止するように構成されている中止ユニットと、前記第２タイプのネットワークからの測定情報を用いて前記第１タイプのネットワークの測定を行うように構成されている測定ユニットとを含むことが好ましい。
【００２３】
前記第１タイプのネットワークの測定を行った測定結果を取得するように構成されている取得モジュールを更に含み、ここで、前記測定結果は、前記ＵＥが前記第２タイプのネットワークでセル再選択を行うことに用いられることが好ましい。
【００２４】
前記第１タイプのネットワークの測定を行って取得した測定結果が前記第１タイプのネットワークへ再選択して復帰する要求を満たすか否かを判定するように構成されている判定モジュールと、前記判定モジュールにより、満たすと判定された場合、前記測定結果に基づいて、前記第１タイプのネットワークを再選択するように構成されている再選択モジュールとを更に備えることが好ましい。
【００２５】
受信した前記測定情報を記憶するように構成されている記憶モジュールを更に含み、ここで、前記測定情報は、前記ＵＥが前記第２タイプのネットワークへ切り替えられた又は再選択された後も依然として有効であることが好ましい。
【００２６】
本発明の他の一態様によると、第１タイプのネットワークに配置されるネットワークシステム間の測定処理装置であって、ユーザ機器ＵＥに対し、前記ＵＥが第２タイプのネットワークにおいて前記第１タイプのネットワークの測定を行うことに用いられる測定情報を配置するように構成されている配置モジュールと、配置された前記測定情報を前記ＵＥに送信するように構成されている送信モジュールとを備えるネットワークシステム間の測定処理装置を提供する。
【発明の効果】
【００２７】
本発明によれば、ユーザ機器ＵＥが第１タイプのネットワークにより配置された、前記ＵＥが第２タイプのネットワークにおいて第１タイプのネットワークの測定を行うことに用いられる測定情報を受信し、前記ＵＥが前記第２タイプのネットワークへ切り替えられた又は再選択された後、前記ＵＥが前記測定情報に基づいて、前記第１タイプのネットワークの測定を行うことによって、関連技術において一つのネットワークで他のネットワークの測定を行うことができなく、正常なユーザサービスを実現できなく、ユーザ体験が悪くなるという問題を解決し、これにより、一つのネットワークで他のネットワークの測定を行うことができ、測定速度を高め、セル再選択の時間遅延を低減させ、ユーザエクスペリエンスを向上させるという効果を果たす。
【図面の簡単な説明】
【００２８】
ここで説明する図面は本発明を理解させるためのもので、本発明の一部を構成し、本発明における実施例と共に本発明を解釈し、本発明を不当に限定するのではない。
【図１】図１は、本発明の実施例に係るネットワークシステム間の測定処理方法を示すフローチャート１である。
【図２】図２は、本発明の実施例に係るネットワークシステム間の測定処理方法を示すフローチャート２である。
【図３】図３は、本発明の実施例に係るネットワークシステム間の測定処理装置の構成を示すブロック図１である。
【図４】図４は、本発明の実施例に係るネットワークシステム間の測定処理装置の測定モジュール３４の構成を示すブロック図である。
【図５】図５は、本発明の好適な実施例に係るネットワークシステム間の測定処理装置の構成を示すブロック図１である。
【図６】図６は、本発明の好適な実施例に係るネットワークシステム間の測定処理装置の構成を示すブロック図２である。
【図７】図７は、本発明の好適な実施例に係るネットワークシステム間の測定処理装置の構成を示すブロック図３である。
【図８】図８は、本発明の実施例に係るネットワークシステム間の測定処理装置の構成を示すブロック図２である。
【図９】図９は、本発明の実施例に係るＵＥがＬＴＥシステムからＧＳＭシステムに切り替えられる時のＵＥの内部処理プロセスを示すフローチャートである。
【図１０】図１０は、本発明の実施例に係るＵＥがＬＴＥシステムからリリースされた後、ＧＳＭシステムへのセル再選択を行うことを示すフローチャートである。
【図１１】図１１は、本発明の実施例に係るＵＥがＬＴＥシステムからＧＳＭシステムに切り替えることを示すフローチャートである。
【発明を実施するための形態】
【００２９】
以下、図面を参照しつつ実施例を結合して本発明を詳しく説明する。ここで、衝突しない限り、本願の実施例及び実施例に記載の特徴を互いに組み合わせることができる。
本実施例はネットワークシステム間の測定処理方法を提供し、図１は本発明の実施例に係るネットワークシステム間の測定処理方法を示すフローチャート１で、図１に示すように、以下のステップを含む。
ユーザ機器ＵＥが、第１タイプのネットワークにより配置された測定情報を受信し（ステップＳ１０２）、ここで、当該測定情報は、ＵＥが第２タイプのネットワークで上記第１タイプのネットワークの測定を行うことに用いられる情報であって、例えば、上記第１タイプのネットワークと第２タイプのネットワークは、長期進化型ＬＴＥネットワーク、ＧＳＭ／ＥＤＧＥ無線アクセスネットワークＧＥＲＡＮ、ユニバーサル移動体通信システムＵＭＴＳ、符号分割多元接続ＣＤＭＡシステムの中の少なくとも一つであることができる。
当該ＵＥが上記第２タイプのネットワークに切り替えた又は再選択した後、ＵＥが上記測定情報に基づいて第１タイプのネットワークの測定を行う（ステップＳ１０４）。
【００３０】
上記ステップによると、ＵＥが第１タイプのネットワークで取得した測定情報は、ＵＥが第２タイプのネットワークに切り替えた後も依然として有効であるので、ＵＥが第１タイプのネットワークで取得した測定情報に基づいて当該第１タイプのネットワークの測定を行うことができ、関連技術において測定情報が現在タイプのネットワークのみで有効である、又は、他のネットワークに切り替えた場合、切り替えたネットワークからその前のタイプのネットワークの測定を行う測定情報を再び取得してから、取得した測定情報に基づいて測定を行わざるを得ない問題を解決し、関連技術においてＵＥがネットワークにおいて他のネットワークの測定を即時に行うことができないので、正常なユーザサービスを実現できなく、ユーザ体験を低減させるという問題を解決し、測定の速度を高め、セルの再選択の時間遅延を低減し、ユーザエクスペリエンスを向上させることができる。
【００３１】
ＵＥが測定情報に基づいて第１タイプのネットワークの測定を行う過程中に、ＵＥが第２タイプのネットワークからの第１タイプのネットワークの測定用の測定情報を受信すると、この時、第２タイプのネットワークからの測定情報はその前に受信した第１タイプのネットワークからの測定情報をカバーし、即ち、ＵＥは第１タイプのネットワークで受信した測定情報に基づく第１タイプのネットワークの測定を中止し、第２タイプのネットワークからの測定情報に基づいて第１タイプのネットワークの測定を行うことが好ましい。
【００３２】
ＵＥが第１タイプのネットワークからの測定情報に基づいて測定を行うかそれとも第２タイプのネットワークからの第２測定情報に基づいて測定を行うかに係わらず、ＵＥが上記の測定情報に基づいて第１タイプのネットワークの測定を行った後、ＵＥが第１タイプのネットワークを測定した測定結果を取得することを更に含み、ここで、当該測定結果はＵＥが第２タイプのネットワークでセルの再選択を行う際に用いられることができる。ＵＥは、上記の測定情報に基づいて第１タイプのネットワークの測定を行った後、第１タイプのネットワークの測定を行って取得した測定結果が第１タイプのネットワークへ再選択して復帰する要求を満たすか否かを判定し、判定結果が「ＹＥＳ」である場合、取得した測定結果に基づいて第１タイプのネットワークへ再選択して復帰することが好ましい。
【００３３】
ＵＥが第１タイプのネットワークが配置した測定情報を受信した後、ＵＥが受信された測定情報を記憶することを更に含むことが好ましく、ここで、当該測定情報はＵＥが第２タイプのネットワークへ切り替えられた又は再選択された後も依然として有効である。また、当該測定情報の有効期限を設定することが好ましく、設定方式はさまざまで、例えば、ＵＥは、第１タイプのネットワークからのインディケーション（指示情報）を受信することによって測定情報の有効期限を取得する方式、即ち、各種の明示的又は暗示的なインディケーションによって指示する方式と、予め約束した方式との少なくとも１つによって、測定情報の有効期限を取得し、当該予め約束した方式は標準プロトコルに予め定義されたものであってもよいし、システムによって配置されたものであってもよい。
【００３４】
インディケーションの方式で測定情報を指示する場合、さまざまな方式を利用することができ、測定情報が乗せられるセル（Ｃｅｌｌ）が異なる場合、指示方式もさまざまであり、例えば、ＵＥが無線リソース制御ＲＲＣメッセージによって第１タイプのネットワークが配置した測定情報を受信した場合、当該ＲＲＣメッセージは、システムメッセージ、ＲＲＣリリースメッセージ、ＲＲＣ再配置メッセージ、補強型ユニバーサル移動体通信システムＥ−ＵＭＴＳからの移動命令メッセージの中の少なくとも一つを含むことができる。
【００３５】
なお、上記測定情報は、第２タイプのネットワークで測定すべき第１タイプのネットワークの搬送周波数及び／又はセル情報をＵＥに指示するための情報と、第２タイプのネットワークでの第１タイプのネットワークの搬送周波数及び／又はセル情報の測定をＵＥに指示するための情報と、第２タイプのネットワークでリリースした後、第１タイプのネットワークに復帰することをＵＥに指示するための情報と、第２タイプのネットワークで第１タイプのネットワークの測定を行う周波数ポイントリストをＵＥに指示するための情報と、測定情報の有効期限の記憶をＵＥに指示するための情報の中の少なくとも一つを含むことができ、そのうち、上記搬送周波数及び／又はセルの情報は、搬送周波数の周波数ポイント、セルの識別子ＩＤ、周波数ポイント及び／又はセルの受信可能な参照信号受信パワーＲＳＲＰ閾値、周波数ポイント及び／又はセルの優先レベル、周波数ポイント及び／又はセルの異なる優先レベルでの再選択閾値の中の少なくとも一つを含むことができる。以下、上記各測定情報の指示方式をそれぞれ説明する。
【００３６】
第２タイプのネットワークでの第１タイプのネットワークの搬送周波数及び／又はセル情報の測定をＵＥに指示するための情報は、第２タイプのネットワークで第１タイプのネットワークにより配置された全ての搬送周波数及び／又はセルの測定を行うことを指示するための情報（即ち、当該インディケーションは第１タイプのネットワークにおけるすべての搬送周波数及び／又はセルに対し有効である）と、第１タイプのネットワークにおける異なる搬送周波数及び／又はセルそれぞれに対し、第２タイプのネットワークで測定を行うことを指示するための情報（即ち、異なる搬送周波数及び／又はセルに対し異なるインディケーションによってそれぞれ指示する）と、異なる第２タイプのネットワークに対しそれぞれ、第１タイプのネットワークの搬送周波数及び／又はセル情報の測定を行うことを指示するための情報（即ち、異なる第２タイプのネットワークに対し異なるインディケーションによってそれぞれ指示する）の中の少なくとも一つを含み、また、第２タイプのネットワークにおいてリリースした後に第１タイプのネットワークに復帰することをＵＥに指示するための情報は、異なる第２タイプのネットワークそれぞれに対し、第１タイプのネットワークへ再選択して復帰することをＵＥに指示するための情報（即ち、異なるインディケーションによって、異なる第２タイプのネットワークからＵＥのその前に位置していた第１タイプのネットワークへ再選択して復帰することを指示する）を含み、第２タイプのネットワークで第１タイプのネットワークの測定を行う周波数ポイントリストをＵＥに指示するための情報は、全ての第２タイプのネットワークにおける第１タイプのネットワーク中の周波数ポイントの測定を指示するための周波数ポイントリスト情報（即ち、第１タイプのネットワークで測定を行う周波数ポイントリストは全ての第２タイプのネットワークに対し有効である）と、異なる第２タイプのネットワークにおける第１タイプのネットワーク中の周波数ポイントの測定を指示するための異なる周波数ポイントリスト情報（即ち、異なるインディケーションによって、異なる第２タイプのネットワークにおいて第１タイプのネットワークの異なる周波数ポイントリストの測定を行うことを指示する）の中の少なくとも一つを含み、また、測定情報の有効期限の記憶をＵＥに指示するための情報は、有効期限が予定時間長さであることを指示するための情報（即ち、当該有効期限が一定の時間長さであることができる）と、有効期限がセル再選択の回数であることを指示するための情報（例えば、セル再選択の回数が、第１タイプのネットワークにおけるセル再選択の回数、第２タイプのネットワークにおけるセル再選択の回数、第１タイプのネットワークと第２タイプのネットワークにおけるセル再選択の回数、第１タイプのネットワークと第２タイプのネットワークとの間でのセル再選択の回数の中の少なくとも１つを含むことができる）と、有効期限に達した時、測定情報をクリアすることを指示するための情報と、有効期限に達していない時に、第１タイプのネットワークの測定情報を再度受信した場合、有効期限をリセットすることを指示するための情報の中の少なくとも一つを含むことができる。
【００３７】
なお、上述した複数の異なる第２タイプのネットワークは、当該複数の異なる第２タイプのネットワークについての指示方式もさまざまであるが、例えば、黙示的な指示方式で第２タイプのネットワークについて指示することができ、例えば第２タイプのネットワークが切り替え及び／又はセル更新のターゲットネットワークシステムである、第２タイプのネットワークが第１タイプのネットワークでない全てのネットワークシステムである、第２タイプのネットワークが常にＧＳＭ／ＥＤＧＥ無線アクセスネットワークＧＥＲＡＮである（ＧＳＭ／ＥＤＧＥ無線アクセスネットワークＧＥＲＡＮとして固定される）、さらに、例えば、明示的な指示方式で第２タイプのネットワークについて指示することもでき、例えば、明示のシグナリングによって第２タイプのネットワークに対応するネットワークシステムを指示することができる。
【００３８】
本実施例はネットワークシステム間の測定処理方法を提供し、図２は本発明の実施例に係るネットワークシステム間の測定処理方法を示すフローチャート２で、図２に示すように、以下のステップを含む。
第１タイプのネットワークがユーザ機器ＵＥに測定情報を配置し（ステップＳ２０２）、ここで、当該測定情報は、ＵＥが第２タイプのネットワークで上記第１タイプのネットワークの測定を行うことに用いられる情報である。
第１タイプのネットワークが、配置された上記測定情報を当該ＵＥに送信する（ステップＳ２０４）。
【００３９】
当該第１タイプのネットワークが無線リソース制御ＲＲＣメッセージによって、配置された測定情報をＵＥに送信することが好ましく、ここで、ＲＲＣメッセージは、システムメッセージ、ＲＲＣリリースメッセージ、ＲＲＣ再配置メッセージ、補強型ユニバーサル移動体通信システムＥ−ＵＭＴＳからの移動命令メッセージの中の少なくとも一つを含む。また、測定情報は、第２タイプのネットワークで測定すべき第１タイプのネットワークの搬送周波数及び／又はセルをＵＥに指示するための情報と、第２タイプのネットワークでの第１タイプのネットワークの搬送周波数及び／又はセル情報の測定をＵＥに指示するための情報と、第２タイプのネットワークでリリースした後に第１タイプのネットワークに復帰することをＵＥに指示するための情報と、第２タイプのネットワークで第１タイプのネットワークの測定を行う周波数ポイントリストをＵＥに指示するための情報と、測定情報の有効期限の記憶をＵＥに指示するための情報等の中の少なくとも一つを含むこともできる。
【００４０】
本実施例はさらに、ネットワークシステム間の測定処理装置を提供し、当該装置は上記実施例及び好適な実施の形態を実現するためのものであり、説明した部分に対する説明は省略する。以下に用いられる用語「モジュール」は予定の機能を実現することのできるソフトウェア及び／又はハードウェアの組合せである。以下で説明する装置をソフトウェアで実現することが好ましいが、ハードウェア又はソフトウェアとハードウェアの組合せによって実現することも可能である。
【００４１】
図３は、本発明の実施例に係るネットワークシステム間の測定処理装置の構成を示すブロック図１で、図３に示すように、当該装置はユーザ機器に配置され、受信モジュール３２と、測定モジュール３４と、を含み、以下当該装置を説明する。
受信モジュール３２は、第１タイプのネットワークにより配置された測定情報を受信するように構成されており、ここで、当該測定情報は、ＵＥが第２タイプのネットワークで第１タイプのネットワークの測定を行うことに用いられる情報である。また、測定モジュール３４は上記受信モジュール３２に接続され、ＵＥが第２タイプのネットワークへ切り替えられた又は再選択された後、測定情報に基づいて、上記第１タイプのネットワークの測定を行うように構成されている。
【００４２】
図４は、本発明の実施例に係るネットワークシステム間の測定処理装置の測定モジュール３４の構成を示すブロック図で、図４に示すように、当該測定モジュール３４は、受信ユニット４２と、中止ユニット４４と、測定ユニット４６とを含み、以下、当該測定モジュール３４を説明する。
【００４３】
受信ユニット４２は第２タイプのネットワークからの第１タイプのネットワークの測定を行う測定情報を受信するように構成されており、中止ユニット４４は上記受信ユニット４２に接続され、第１タイプのネットワークで受信した測定情報を用いる第１タイプのネットワークの測定を中止するように構成されており、測定ユニット４６は上記中止ユニット４４に接続され、第２タイプのネットワークからの測定情報を用いて第１タイプのネットワークの測定を行うように構成されている。
【００４４】
図５は、本発明の好適な実施例に係るネットワークシステム間の測定処理装置の構成を示すブロック図１で、図５に示すように、当該装置は、図３に示す全てのモジュールの他、取得モジュール５２も含み、以下、当該取得モジュール５２を説明する。
取得モジュール５２は、上記測定モジュール３４に接続され、第１タイプのネットワークの測定を行った測定結果を取得するように構成されており、ここで、当該測定結果は、ＵＥが第２タイプのネットワークにおいてセル再選択を行うことに用いられる。
【００４５】
図６は、本発明の好適な実施例に係るネットワークシステム間の測定処理装置の構成を示すブロック図２で、図６に示すように、当該装置は図３に示す全てのモジュールの他、判定モジュール６２と再選択モジュール６４も含み、以下、当該装置を説明する。
判定モジュール６２は上記測定モジュール３４に接続され、第１タイプのネットワークに測定を行って取得した測定結果が第１タイプのネットワークへ再選択して復帰する要求を満たすか否かを判定するように構成されており、再選択モジュール６４は上記判定モジュール６２に接続され、判定ユニットの判定結果が「ＹＥＳ」である場合、測定結果に基づいて第１タイプのネットワークへ再選択して復帰するように構成されている。
【００４６】
図７は本発明の好適な実施例に係るネットワークシステム間の測定処理装置の構成を示すブロック図３で、図７に示すように、当該装置は図３に示す全てのモジュールの他、記憶モジュール７２も含み、記憶モジュール７２は上記受信モジュール３２と測定モジュール３４に接続され、受信した測定情報を記憶するように構成されており、ここで、当該測定情報は、ＵＥが上記第２タイプのネットワークへ切り替えられた又は再選択された後も依然として有効である。
【００４７】
本実施例はさらに、ネットワークシステム間の測定処理装置を提供し、図８は本発明の実施例に係るネットワークシステム間の測定処理装置の構成を示すブロック図２で、図８に示すように、当該装置は第１タイプのネットワークに配置され、配置モジュール８２と、送信モジュール８４と、を含み、以下、当該装置を説明する。
配置モジュール８２はユーザ機器ＵＥに対し測定情報を配置するように構成されており、ここで、当該測定情報はＵＥが第２タイプのネットワークで第１タイプのネットワークの測定を行うことに用いられる情報であり、送信モジュール８４は上記配置モジュール８２に接続され、配置された上記測定情報を上記ＵＥに送信するように構成されている。
【００４８】
現在、ＬＴＥシステムのシステムメッセージにおいて、ＵＥが駐在しているＬＴＥセルの同一周波数又は相違周波数のＬＴＥ隣接セル情報を放送することができ、無線リソース制御（Ｒａｄｉｏ  Ｒｅｓｏｕｒｃｅ  Ｃｏｎｔｒｏｌ、ＲＲＣと略称）再配置メッセージにも、ＬＴＥセルの同一周波数又は相違周波数の隣接セル情報が配置されることができる。しかし、これらの測定配置情報はＬＴＥシステム内でしか有効ではなく、システム間の切り替えを行った場合、ＵＥは新しいシステムにおいてＬＴＥシステムからの隣接セル配置情報を利用することができない。したがって、本実施例では、無線通信技術に関する端末がシステム間で移動する際の測定配置方法が提供され、当該方法によれば、ネットワーク側がＬＴＥネットワークにおいて、ＵＥのＧＳＭネットワークでの測定を予め配置することができ、ＵＥがＧＳＭネットワークに切り替えた後、ＧＳＭネットワークから測定配置を取得することなく測定を開始することができ、測定の速度を高め、ＵＥのＧＳＭからＬＴＥネットワークへの復帰の時間遅延を低減することができる。即ち、ＵＥがＧＳＭネットワークでＬＴＥ隣接セルを取得する時間及び測定する時間を減少させ、これにより、ＵＥがＧＳＭネットワークにおいて音声通話を完了した後、高速にＬＴＥネットワークに復帰することができる。なお、本実施例に係る端末がシステム間で移動する際の測定配置方法はＧＳＭとＬＴＥシステム間の切り替えに適用するだけではなく、切り替え可能ないずれかの２種類の異なるタイプのネットワーク間の切り替えにも適用でき、以下、異なるタイプのネットワークとしてＧＳＭシステムネットワークとＬＴＥシステムネットワークを例にして説明する。
【００４９】
ＵＥは、システムタイプ１のネットワークにおいてシステムタイプ１での搬送周波数及び／又はセル情報を受信して記憶する。ＵＥがシステムタイプ２の搬送周波数及び／又はセルへ切り替えられた又はセル再選択された後、システムタイプ１において受信したシステムタイプ１での搬送周波数及び／又はセル情報を用いて、システム１での搬送周波数及び／又はセルの測定を行う。ここで、上記システムタイプ１はＬＴＥシステムで、システムタイプ２はＧＳＭシステム又はＵＭＴＳシステムであってもよい。図９は、本発明の実施例に係るＵＥがＬＴＥシステムからＧＳＭシステムに切り替える時のＵＥの内部処理プロセスを示すフローチャートで、図９に示すように、以下のステップを含む。
ＵＥが、システム１（ＬＴＥシステム）において、システム２（ＧＳＭシステム）において測定すべき搬送周波数及び／又はセル情報を取得する（ステップＳ９０２）。
ＵＥが、システム２へ切り替えられた又はセル再選択された後、システム１で受信した搬送周波数及び／又はセル情報に基づいて測定を行う（ステップＳ９０４）。
【００５０】
ここで、ＵＥがシステムタイプ１のネットワークにおいて受信して記憶したシステムタイプ１での搬送周波数及び／又はセル情報は、
搬送周波数の周波数ポイント、セルのセルＩＤ、周波数ポイント及び／又はセル受信可能な最小参照信号受信パワー（Ｒｅｆｅｒｅｎｃｅ  Ｓｉｇｎａｌ  Ｒｅｃｅｉｖｉｎｇ  Ｐｏｗｅｒ、ＲＳＲＰと略称）（Ｑ―ＲｘＬｅｖＭｉｎ）、当該周波数ポイント及び／又はセルの優先レベル（ＣｅｌｌＲｅｓｅｌｅｃｔｉｏｎＰｒｉｏｒｉｔｙ）、周波数ポイント及び／又はセルの異なる優先レベルでの再選択閾値（ｔｈｒｅｓｈＸ―Ｈｉｇｈ、ｔｈｒｅｓｈＸ―Ｌｏｗ）等の中の少なくとも一つ又は複数個を含む。
【００５１】
実施する際、システムタイプ１のＲＲＣメッセージに一つのインディケーションを追加してもよく、当該インディケーションは、システムタイプ２においてシステムタイプ１で受信した搬送周波数及び／又はセル情報に基づいて測定操作を行うか否かを指示するためのものである。なお、当該インディケーションで指示する際、指示する範囲を限定することができ、例えば、当該インディケーションは全ての搬送周波数及び／又はセル情報に対し有効で、即ち、全ての配置された搬送周波数及び／又はセルをシステム２において測定する必要があるか否かを指示してもよいし、搬送周波数及び／又はセル情報それぞれに対し指示し、それぞれ、当該搬送周波数／セルをシステム２において測定する必要があるか否かを指示してもよい。また、当該インディケーションは、異なるターゲットシステム（システム２）においてシステム１の測定を行う必要があるか否かを指示することもでき、例えば、ＧＳＭ／ＥＤＧＥ無線アクセスネットワーク（ＧＳＭ  ＥＤＧＥ  Ｒａｄｉｏ  Ａｃｃｅｓｓ  Ｎｅｔｗｏｒｋ、ＧＥＲＡＮと略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳと略称）、符号分割多元接続（Ｃｏｄｅ  Ｄｉｖｉｓｉｏｎ  Ｍｕｌｔｉｐｌｅ  Ａｃｃｅｓｓ、ＣＤＭＡと略称）システム等に応じて異なるインディケーションを用いる。
【００５２】
システムタイプ１のＲＲＣメッセージに一つのインディケーションを追加することが好ましく、当該インディケーションは、高速のセル再選択プロセスを行うか否かを指示するものである。切り替えた又はセル再選択した後、高速のセル再選択プロセスによってシステム１に復帰することを指示すると、ＵＥは、システム２へ切り替えられた又はセル再選択された後、システムタイプ１で受信した搬送周波数及び／又はセル情報に基づいて測定操作を行う。また、当該インディケーションは、異なるターゲットシステム（システム２）において高速のセル再選択プロセスを行うか否かを指示することもでき、例えば、ＧＥＲＡＮ＼ＵＭＴＳ＼ＣＤＭＡシステムに応じて異なるインディケーションを用いる。
【００５３】
システムタイプ１のＲＲＣメッセージに周波数ポイントリストが含まれ、どの周波数ポイントがターゲットシステムで測定される必要があるかを指示することが好ましい。周波数ポイントリストは全てのターゲットシステムに対し有効であってもよいし、一部のターゲットシステムに対し有効であってもよい。さらに、異なるターゲットシステムに応じて異なる周波数ポイントリストを配置することもできる。ターゲットシステムは本特許中のシステム２であって、ＧＳＭ＼ＵＭＴＳ＼ＣＤＭＡ等のさまざまなシステムであることができる。なお、システム２において測定すべき周波数ポイントを明示的に与えた場合、別にインディケーションを提供する必要はない。
【００５４】
ここで、システムタイプ１におけるシステム放送メッセージ以外のＲＲＣメッセージには、現在のセルシステムメッセージで放送されていない周波数ポイントについて、当該周波数ポイントのセル再選択関連情報がさらに含まれることができる。セル再選択関連情報は、Ｑ−ＲｘＬｅｖＭｉｎ、ｔｈｒｅｓｈＸ−Ｈｉｇｈ、ｔｈｒｅｓｈＸ−Ｌｏｗ、ＣｅｌｌＲｅｓｅｌｅｃｔｉｏｎＰｒｉｏｒｉｔｙの中の少なくとも一つを含む。
【００５５】
ここで、ＵＥがシステムタイプ１のネットワークにおいてＲＲＣメッセージによって上記の搬送周波数及び／又はセル情報を取得し、ＲＲＣメッセージは、
システムメッセージ（ＬＴＥ中のＳＩＢ３、ＳＩＢ４、ＳＩＢ５、ＳＩＢ６、ＳＩＢ７又は他のＳＩＢ）、ＲＲＣリリースメッセージ（ＲＲＣＣｏｎｎｅｃｔｉｏｎＲｅｌｅａｓｅ）、ＲＲＣ再配置メッセージ（ＲＲＣＣｏｎｎｅｃｔｉｏｎＲｅｃｏｎｆｉｇｕｒａｔｉｏｎ）、Ｅ−ＵＴＲＡＮからの移動命令メッセージ（ＭｏｂｉｌｉｔｙＦｒｏｍＥＵＴＲＡＣｏｍｍａｎｄ）の中の一つ又は複数個であることができる。
【００５６】
ここで、ＵＥがシステムタイプ１のネットワークにおいてＲＲＣメッセージによって取得した上記搬送周波数及び／又はセル情報は、一つのＲＲＣメッセージで伝送してもよいし、複数のＲＲＣメッセージで伝送してもよい（例えば、搬送周波数、セル情報はシステムメッセージで伝送し、測定を行うか否かの指示はＲＲＣリリースメッセージで伝送する）。
【００５７】
ここで、ＵＥは、システムタイプ１のネットワークにおいてＲＲＣメッセージによって、システム２で測定すべき上記搬送周波数及び／又はセル情報を取得した後、それを自体の変数に記憶する。
【００５８】
ここで、ＵＥの、システムタイプ１で受信した搬送周波数及び／又はセル情報を記憶するための変数は有効時間があり、有効時間が経た後、ＵＥは当該変数をクリアする。ここで、有効時間は、以下の規定されたものの中の一つ又は複数であることができる：
有効時間は一定の長さの時間（例えば、８時間）であることができる。
有効時間はＵＥがセル再選択を行う回数によって定義されることもできる（例えば、セル再選択を１０回行った後、ＵＥが当該変数をクリアする）。ここでのセル再選択は、システム１におけるセル再選択のみを統計してもよいし、システム２におけるセル再選択のみを統計してもよい。或いは、システム１とシステム２におけるセル再選択を統計することもでき、或いは、システム１とシステム２間のシステム間のセル再選択のみを統計することもできる。
【００５９】
ここで、ＵＥの、システムタイプ１で受信した搬送周波数及び／又はセル情報を記憶する変数は有効時間があり、有効時間内に、ＵＥがシステム間の高速再選択のための搬送周波数及び／又はセル情報を再度受信すると、ＵＥは有効時間をリセットする（有効時間内に再選択のカウントを開始する）。
【００６０】
ここで、ＵＥは、システムタイプ２において、システムタイプ１に関する測定メッセージを受信した後、システムタイプ１で受信した搬送周波数及び／又はセル情報に基づく測定を中止する。
【００６１】
ここで、ＵＥは、システムタイプ２において呼び出しをリリースした後、システムタイプ１での搬送周波数及び／又はセルの測定結果を用いて、セル再選択プロセスを開始する。
【００６２】
ここで、システム２は、明示的に配置（ｃｏｎｆｉｇｕｒｅ）される、或いは黙示的に配置されることができる。黙示的に配置される場合、システム２は切り替え又はセル更新のターゲットシステムである、或いは、システム１でない全てのシステムであると黙認される。明示的に配置される場合、システム１におけるシグナリングによってシステム２に対応するシステムを明示的に示す（例えば、搬送周波数及び／又はセル情報を配置する際、これらの搬送周波数及び／又はセル情報がどの又はどれらのシステムで測定されるべきかを明示的に指示する）。
上記実施例及び好適な実施の形態によれば、ＵＥがシステム間で移動する際の測定課題を有効に解決し、システム間の切り替え、セル再選択の速度を高めることができる。
【００６３】
以下、図面を結合して本発明の実施例及び好適な実施の形態を説明する。
実施案１（ＵＥがＬＴＥシステムからリリースされた後、ＧＳＭシステムへのセル再選択が行われる）：
図１０は、本発明の実施例に係るＵＥがＬＴＥシステムからリリースされた後、ＧＳＭシステムへのセル再選択が行われることを示すフローチャートで、図１０に示すように、以下のステップを含む。
ＵＥが、ＬＴＥネットワークに駐在し、セルからシステムメッセージを受信してＵＥの当該セルにおけるシステム内の同一周波数、相違周波数の隣接セル情報を取得し、これらの情報を変数ＶａｒＭｅａｓＣｏｎｆｉｇＦｏｒＦＲに記憶する（ステップＳ１００２）。
【００６４】
ＵＥが、駐在しているセルでＲＲＣ確立プロセスを開始し、ＲＲＣ接続を確立する（ステップＳ１００４）。
【００６５】
音声呼等の原因で、ＬＴＥシステムがＵＥにＲＲＣＣｏｎｎｅｃｔｉｏｎＲｅｌｅａｓｅメッセージを送信し、当該メッセージにＲｅｄｉｒｅｃｔｅｄＣａｒｒｉｅｒＩｎｆｏ情報が含まれ、ＧＳＭシステムにリダイレクトすることをＵＥに指示する。同時に、当該メッセージにＦａｓｔＲｅｔｕｒｎＩｎｄｉｃａｔｉｏｎ指示も含まれており、ＧＳＭシステムでＬＴＥシステムの周波数ポイントの測定を行うことをＵＥに指示する（ステップＳ１００６）。
【００６６】
ＵＥが、ＧＳＭネットワークに移動した後音声サービスを行い、変数ＶａｒＭｅａｓＣｏｎｆｉｇＦｏｒＦＲに記憶されているＬＴＥ周波数ポイント等の情報に基づいて測定を行う。ＵＥが、ＧＳＭネットワークで通話を完了した後、サービスをリリースし、アイドル状態に進入し、ＬＴＥネットワークの測定結果を用いてセル再選択を行い、ＬＴＥシステムへ再選択して復帰する（ステップＳ１００８）。
【００６７】
ここで、上記変数ＶａｒＭｅａｓＣｏｎｆｉｇＦｏｒＦＲは、測定すべき搬送周波数の周波数ポイント、当該周波数ポイントに存在可能なセルのセルＩＤ、当該周波数ポイント及び／又はセル受信可能な最小ＲＳＲＰパワー（Ｑ−ＲｘＬｅｖＭｉｎ）、当該周波数ポイント及び／又はセルの優先レベル（ＣｅｌｌＲｅｓｅｌｅｃｔｉｏｎＰｒｉｏｒｉｔｙ）、当該周波数ポイント及び／又はセルの異なる優先レベルでの再選択閾値（ｔｈｒｅｓｈＸ−Ｈｉｇｈ、ｔｈｒｅｓｈＸ−Ｌｏｗ）を含むことができ、上記情報はシステムメッセージから取得されてもよいし、ＲＲＣ再配置（ＲＲＣＣｏｎｎｅｃｔｉｏｎＲｅｃｏｎｆｉｇｕｒａｔｉｏｎ）メッセージ中のＭｅａｓＣｏｎｆｉｇセルから取得されてもよい。
【００６８】
また、変数ＶａｒＭｅａｓＣｏｎｆｉｇＦｏｒＦＲの有効時間を設定することができ、例えば、変数ＶａｒＭｅａｓＣｏｎｆｉｇＦｏｒＦＲの有効時間を８時間に設定することができ、８時間以内にＵＥがＬＴＥシステムに戻っていないと、ＵＥは当該変数をクリアする。８時間以内にＵＥがＬＴＥシステムに戻っていると、ＵＥはシステムメッセージに基づいて当該変数を更新する。
【００６９】
ここで、ＲＲＣＣｏｎｎｅｃｔｉｏｎＲｅｌｅａｓｅメッセージには、どの周波数ポイントがターゲットシステムで測定される必要があるかを示す周波数ポイントリストがさらに含まれることができる。ＵＥが、システムメッセージ又はＲＲＣＣｏｎｎｅｃｔｉｏｎＲｅｃｏｎｆｉｇｕｒａｔｉｏｎメッセージから取得した周波数ポイント情報に基づいて、変数ＶａｒＭｅａｓＣｏｎｆｉｇＦｏｒＦＲを更新する。ある周波数ポイントがシステムメッセージ又はＲＲＣＣｏｎｎｅｃｔｉｏｎＲｅｃｏｎｆｉｇｕｒａｔｉｏｎに出現したことがない場合、ネットワーク側は、さらに、ＲＲＣＣｏｎｎｅｃｔｉｏｎＲｅｌｅａｓｅメッセージに当該周波数ポイントに対応するＱ−ＲｘＬｅｖＭｉｎ、ｔｈｒｅｓｈＸ−Ｈｉｇｈ、ｔｈｒｅｓｈＸ−Ｌｏｗ、ＣｅｌｌＲｅｓｅｌｅｃｔｉｏｎＰｒｉｏｒｉｔｙ等の情報を含ませることができる。
【００７０】
実施案２（ＵＥがＬＴＥシステムからＧＳＭシステムに切り替える）：
図１１は、本発明の実施例に係るＵＥがＬＴＥシステムからＧＳＭシステムに切り替えることを示すフローチャートで、当該フローチャートは、ＵＥがＬＴＥからＧＳＭへのセル再選択後に自律測定を行うシグナリングフローチャートで、図１１に示すように、以下のステップを含む。
ＵＥが、ＬＴＥネットワークに駐在し、セルからシステムメッセージを受信してＵＥの当該セルにおけるシステム内の同一周波数又は相違周波数の隣接セル情報を取得する。ＵＥが、これらの情報を変数ＶａｒＭｅａｓＣｏｎｆｉｇＦｏｒＦＲに記憶する（ステップＳ１１０２）。
【００７１】
ＵＥが、駐在しているセルでＲＲＣ確立プロセスを開始し、ＲＲＣ接続を確立する（ステップＳ１１０４）。
【００７２】
音声呼等の原因で、ＬＴＥシステムからＵＥにＭｏｂｉｌｉｔｙＦｒｏｍＥＵＴＲＡＣｏｍｍａｎｄメッセージを送信し、ＵＥをＧＳＭシステムに切り替える。同時に、当該メッセージにＦａｓｔＲｅｔｕｒｎＩｎｄｉｃａｔｉｏｎ指示が含まれ、ＧＳＭシステムでＬＴＥシステムの周波数ポイントの測定を行う必要があることをＵＥに指示する（ステップＳ１１０６）。
【００７３】
ＵＥが、ＧＳＭネットワークに移動した後、音声サービスを行い、変数ＶａｒＭｅａｓＣｏｎｆｉｇＦｏｒＦＲに記憶されたＬＴＥ周波数ポイント等の情報に基づいて測定を行う。ＵＥが、ＧＳＭネットワークにおいて通話を完了した後、サービスをリリースし、アイドル状態に進入し、ＬＴＥネットワークの測定結果を用いてセル再選択を行い、ＬＴＥシステムへ再選択して復帰する（ステップＳ１１０８）。
【００７４】
ここで、ＭｏｂｉｌｉｔｙＦｒｏｍＥＵＴＲＡＣｏｍｍａｎｄメッセージには、どの周波数ポイントがターゲットシステムで測定される必要があるかを示す周波数ポイントリストがさらに含まれることができる。ＵＥが、システムメッセージ又はＲＲＣＣｏｎｎｅｃｔｉｏｎＲｅｃｏｎｆｉｇｕｒａｔｉｏｎメッセージから取得した周波数ポイント情報に基づいて、変数ＶａｒＭｅａｓＣｏｎｆｉｇＦｏｒＦＲを更新する。ある周波数ポイントがシステムメッセージ又はＲＲＣＣｏｎｎｅｃｔｉｏｎＲｅｃｏｎｆｉｇｕｒａｔｉｏｎに出現したことがない場合、ネットワーク側は、さらに、当該周波数ポイントに対応するＱ−ＲｘＬｅｖＭｉｎ、ｔｈｒｅｓｈＸ−Ｈｉｇｈ、ｔｈｒｅｓｈＸ−Ｌｏｗ、ＣｅｌｌＲｅｓｅｌｅｃｔｉｏｎＰｒｉｏｒｉｔｙ等の情報を含ませることができる。
【００７５】
ここで、ＭｏｂｉｌｉｔｙＦｒｏｍＥＵＴＲＡＣｏｍｍａｎｄメッセージには、さらに変数ＶａｒＭｅａｓＣｏｎｆｉｇＦｏｒＦＲの有効時間が含まれることもでき、有効時間はＵＥのＧＳＭシステムにおけるセル変更回数として表されることができる。例えば、ＶａｒＭｅａｓＣｏｎｆｉｇＦｏｒＦＲの有効時間をＧＳＭシステムにおける８回のセル変更に設定すると、ＵＥは、ＧＳＭに８回のセル変更があった後に当該変数をクリアする。ＵＥは、ＧＳＭシステムに８回のセル更新が完了する前にＬＴＥシステムに戻っていると、システムメッセージ又はＲＲＣＣｏｎｎｅｃｔｉｏｎＲｅｃｏｎｆｉｇｕｒａｔｉｏｎに基づいて変数ＶａｒＭｅａｓＣｏｎｆｉｇＦｏｒＦＲを更新する。
【００７６】
実施案３（ＵＥがＬＴＥシステムから高速にＧＳＭシステムへ再選択される）：
当該実施案を示すフローチャートは図１０に類似し、以下、当該実施例を説明する。
１、ＵＥが、ＬＴＥネットワークに駐在し、セルからシステムメッセージを受信してＵＥの当該セルにおけるシステム内の同一周波数又は相違周波数の隣接セル情報を取得する。同時に、システムメッセージには、ＧＳＭシステムにおいてシステムメッセージに放送されているＬＴＥ周波数ポイント及び／又はセル情報に基づいて、ＬＴＥシステムの周波数ポイント及び／又はセルの測定を行う必要があることをＵＥに指示するＦａｓｔＲｅｔｕｒｎＩｎｄｉｃａｔｉｏｎ指示がさらに含まれている。ＵＥがこれらのＬＴＥシステムの周波数ポイント及び／又はセル情報を変数ＶａｒＭｅａｓＣｏｎｆｉｇＦｏｒＦＲに記憶する。ここで、ＬＴＥ周波数ポイントの優先レベルはＧＳＭ周波数ポイントの優先レベルより高い。ここで、ＦａｓｔＲｅｔｕｒｎＩｎｄｉｃａｔｉｏｎはシステム毎に指示することができ、ＧＳＭ＼ＵＭＴＳ＼ＣＤＭＡ等の異なるシステムにおいてＬＴＥシステムの測定を行う必要があるか否かをＵＥに指示する。
【００７７】
２、ＵＥが、駐在しているセルでＲＲＣ確立プロセスを開始し、ＲＲＣ接続を確立する。
【００７８】
３、音声呼等の原因で、ＬＴＥシステムがＵＥにＭｏｂｉｌｉｔｙＦｒｏｍＥＵＴＲＡＣｏｍｍａｎｄメッセージを送信し、ＵＥをＧＳＭシステムに切り替える。
【００７９】
４、ＵＥが、ＧＳＭネットワークに移動した後、音声サービスを行い、変数ＶａｒＭｅａｓＣｏｎｆｉｇＦｏｒＦＲに記憶されたＬＴＥ周波数ポイント等の情報に基づいて測定を行う。ＵＥがＧＳＭネットワークで通話を完了した後、サービスをリリースし、アイドル状態に進入してから、ＬＴＥネットワークの測定結果を用いてセル再選択を行い、ＬＴＥシステムを再選択して復帰する。
【００８０】
ここで、システムメッセージとＭｏｂｉｌｉｔｙＦｒｏｍＥＵＴＲＡＣｏｍｍａｎｄメッセージには、どの周波数ポイントがターゲットシステムで測定される必要があるかを示す周波数ポイントリストがさらに含まれることができる。ＵＥが、システムメッセージ又はＲＲＣＣｏｎｎｅｃｔｉｏｎＲｅｃｏｎｆｉｇｕｒａｔｉｏｎメッセージから取得した周波数ポイント情報に基づいて、変数ＶａｒＭｅａｓＣｏｎｆｉｇＦｏｒＦＲを更新する。ある周波数ポイントがシステムメッセージ又はＲＲＣＣｏｎｎｅｃｔｉｏｎＲｅｃｏｎｆｉｇｕｒａｔｉｏｎに出現したことがない場合、ネットワーク側は、さらに、当該周波数ポイントに対応するＱ−ＲｘＬｅｖＭｉｎ、ｔｈｒｅｓｈＸ−Ｈｉｇｈ、ｔｈｒｅｓｈＸ−Ｌｏｗ、ＣｅｌｌＲｅｓｅｌｅｃｔｉｏｎＰｒｉｏｒｉｔｙ等の情報を含ませることができる。
【００８１】
ここで、システムメッセージとＭｏｂｉｌｉｔｙＦｒｏｍＥＵＴＲＡＣｏｍｍａｎｄメッセージには、さらに変数ＶａｒＭｅａｓＣｏｎｆｉｇＦｏｒＦＲの有効時間が含まれることもでき、有効時間はＵＥのＧＳＭシステムにおけるセル変更回数として表されることができる。例えば、ＶａｒＭｅａｓＣｏｎｆｉｇＦｏｒＦＲの有効時間をＧＳＭシステムにおける８回のセル変更に設定すると、ＵＥは、ＧＳＭに８回のセル変更があった後に当該変数をクリアする。ＵＥは、ＧＳＭシステムに８回のセル更新が完了する前にＬＴＥシステムに戻っていると、システムメッセージ又はＲＲＣＣｏｎｎｅｃｔｉｏｎＲｅｃｏｎｆｉｇｕｒａｔｉｏｎに基づいて変数ＶａｒＭｅａｓＣｏｎｆｉｇＦｏｒＦＲを更新する。
【００８２】
言うまでもなく、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもできる。また、場合によっては、示した又は記載したステップを、ここでの順序と異なる順序で実行し、或いは夫々集積回路モジュールに作製し、或いはそのうちの複数のモジュール又はステップを単独の集積回路モジュールに作製して実現することができることは明らかなことである。このように、本発明は如何なる特定のハードウェアとソフトウェアの結合にも限定されない。
【００８３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
0006301930.tif 000002
【図２】
0006301930.tif 000003
【図３】
0006301930.tif 000004
【図４】
0006301930.tif 000005
【図５】
0006301930.tif 000006
【図６】
0006301930.tif 000007
【図７】
0006301930.tif 000008
【図８】
0006301930.tif 000009
【図９】
0006301930.tif 000010
【図１０】
0006301930.tif 000011
【図１１】
0006301930.tif 000012